Podtech/llm-jp-corpus-v4-ja_patent huggingface dataset:
(57)【要約】【課題】  簡単に化粧の練習ができ、搬送、保管あるいは展示も容易で安価に製造することができる化粧の練習具を提供する。【解決手段】  肌色を有するプラスチック板材により、人の顔表面の額部分（１１）から顔の中心部（１２）及びその下部側の首部分（１３）を模した形状に形成され、背面部（１４）が顔と首の形状に沿って凹部状で全体として面状に形成されている。肌色のプラスチック板材は、２〜４ｍｍ程度の厚さを有する塩化ビニール材料が使用される。【選択図】      図１
0003119786.tif 000002
【実用新案登録請求の範囲】
【請求項１】
肌色を有するプラスチック板材により、人の顔表面の額部分から顔の中心部及びその下部側の首部分を模した形状に形成され、背面部が顔と首の形状に沿って凹部状で全体として面状に形成されたことを特徴とする化粧の練習具。
【請求項２】
前記プラスチック板材は、２〜４ｍｍの厚さを有する塩化ビニール材料であることを特徴とする請求項１記載の化粧の練習具。
【考案の詳細な説明】
【技術分野】
【０００１】
本考案は、女性の美容等において顔の化粧技術習得に適した化粧の練習具に関するものである。
【背景技術】
【０００２】
従来、美容の分野において化粧の練習をする場合に、実際の人の顔で練習したときには、化粧品の種類によってはアレルギー等の症状を生じたり、肌に損傷が生じたりするおそれがあった。一方、理容あるいは美容において、化粧技術練習のために、頭部と顔部分とが一体となった人体モデルに関する技術が開示されている（例えば、特許文献１参照。）。
【特許文献１】実開平４−１７７１４号公報（第１ページ、図１〜図６）。
【考案の開示】
【考案が解決しようとする課題】
【０００３】
従来の化粧技術練習の人体モデルは、頭部と顔部分とが一体となっているため、構造が複雑になり製造も簡単でなく高価になり、また化粧を練習する場合にも決められた方向に向けて設置する必要があった。さらに、従来の人体モデルでは、頭部と顔部分とが一体となっているため、搬送、保管あるいは展示のために大きなスペースを必要とするおそれがあった。
【０００４】
本考案は上記事情に鑑みなされたもので、簡単に化粧の練習ができ、搬送、保管あるいは展示も容易で安価に製造することができる化粧の練習具を提供することを目的とする。
【課題を解決するための手段】
【０００５】
上記目的を達成するために請求項１に記載の考案にあっては、肌色を有するプラスチック板材により、人の顔表面の額部分から顔の中心部及びその下部側の首部分を模した形状に形成され、背面部が顔と首の形状に沿って凹部状で全体として面状に形成されたことを特徴とするものである。簡単に化粧の練習ができ、搬送、保管あるいは展示も容易で安価に製造することができる。
【０００６】
請求項２に記載の考案にあっては、前記プラスチック板材は、２〜４ｍｍの厚さを有する塩化ビニール材料であることを特徴とするものである。塩化ビニール材料で安価に製造することができる。
【考案の効果】
【０００７】
本考案では、肌色を有するプラスチック板材により、人の顔表面の額部分から顔の中心部及びその下部側の首部分を模した形状に形成され、背面部が顔と首の形状に沿って凹部状で全体として面状に形成されたことで、簡単に化粧の練習ができ、搬送、保管あるいは展示も容易で安価に製造することができる。
【考案を実施するための最良の形態】
【０００８】
以下、本考案を図示の一実施形態により具体的に説明する。図１〜図３は本考案実施形態の化粧の練習具を説明する図であり、図１は化粧の練習具の斜視図、図２は化粧の練習具の側面図、図３は化粧の練習具の断面図である。
【０００９】
これらの図において、本実施形態の化粧の練習具１０は、例えば、女性の顔から首の前部までを模した形状で、背面部１４が顔と首の形状に沿って凹部状で全体として面状に形成されたものであり、その表面に化粧剤を付けて練習するものである。
【００１０】
この化粧の練習具１０は、顔の額部分１１から顔の中心部１２及びその下部側の首部分１３を模した形状で、例えば、２〜４ｍｍ程度の板厚で人の肌色を有する塩化ビニール等のプラスチック材料により成型されている。額部分１１は、頭部側の髪の生え際から眉の上部までを模した形状に形成されている。顔の中心部１２は、化粧が施される中心部分であり、額部分１１に続く眉部分、目、鼻、頬、口、顎を模した形状に形成され、耳部分は除外されている。首部分１３は、顎の下部側で首の前側を模した形状に形成されている。背面部１４は、凹部状に形成されている。
【００１１】
上記構成の化粧の練習具１０では、化粧練習する場合には、その顔の中心部１２に向き合う位置に配置し、眉部分、頬、口等に必要な化粧品を使用して練習することができる。練習した後には、塩化ビニール等のプラスチック材料により形成されているため、化粧を拭き取ったり、洗い落とすことが容易にでき、再度練習することができる。この練習具１０は、プラスチック材料により、全体として面状に形成されているため金型を利用して簡単に、かつ安価に製造することができる。また、顔の額部分１１から顔の中心部１２及びその下部側の首部分１３を模した形状で背面側が顔と首の形状に沿って凹部状に形成されているため、例えば、化粧練習する場合でも、テーブルや机の上に置いて練習することができる。さらに、背面部１４が凹部状に形成されているため、複数の練習具１０を重ねることができ、大きなスペースを必要とせずに搬送や保管が容易になり、背面部１４側を壁に当接させて展示することができる。
【００１２】
なお、額部分１１、顔の中心部１２及びその下部側の首部分１３は、人の顔や首を模した形状であればよく、任意の形状に形成することができる。
【産業上の利用可能性】
【００１３】
女性の美容等において顔の化粧技術習得に適した化粧の練習具に利用することができる。
【図面の簡単な説明】
【００１４】
【図１】本考案実施形態の化粧の練習具の斜視図である。
【図２】本考案実施形態の化粧の練習具の側面図である。
【図３】本考案実施形態の化粧の練習具の断面図である。
【符号の説明】
【００１５】
１０  練習具
１１  額部分
１２  顔の中心部
１３  首部分
１４  背面部
【図１】
0003119786.tif 000003
【図２】
0003119786.tif 000004
【図３】
0003119786.tif 000005
(57)【要約】【課題】  磁性体を身体各部に巻き付けて固定して、つぼや患部へ磁力を確実にあてることができる上に、磁性体が直接皮膚に触れないためアレルギーを防止して、安定した使用状態で半永久的に使用できる健康マグネットユニットを提供する。【解決手段】  球形磁石５１を複数連結し、その両端部に接続金具５３，５３を設けてなり、この接続金具５３，５３を連結することによってリング状にして身体に取り付け、身体のつぼあるいは患部の上から磁力をあてる健康マグネットユニット。【選択図】図１
0003119800.tif 000002
【実用新案登録請求の範囲】
【請求項１】
磁性体を複数連結し、この磁性体の両端部に接続金具を設けてなり、この接続金具を互いに連結することによってリング状にして身体に取り付けることを特徴とする健康マグネットユニット。
【請求項２】
請求項１記載の健康マグネットユニットを複数連結することによって、身体の各部に取り付け可能とし、かつ必要に応じてそれぞれの健康マグネットユニットを交換可能とした連結健康マグネットユニット。
【考案の詳細な説明】
【技術分野】
【０００１】
本考案は、腕、首あるいは肩等の身体各部に単体であるいは複数連結して装着する健康マグネットユニットに関するものである。
【背景技術】
【０００２】
従来よりブレスレット型の磁気健康器具が提案されていた。例えば特許文献１に記載の発明は人の医療または医療用の補助具と装身具・アクセサリーとを兼ね合わせたものである。
この発明は、複数個の天然水晶片と永久磁石片とを一個あるいは二、三個づつ交互に糸・針金等に通した連珠式のブレスレット、アンクレットまたはネックレス等の健康装身具を改良し、上記永久磁石片の横断面を四辺形とし、そのＳ極側となる特定の扁平面に着色層を施したことを特徴とするもので、さらにその着色層の色彩を永久磁石片それ自体の色彩と合計で七色となるようにしたことを特徴とするものである。
【０００３】
この発明によれば、天然水晶片によるいわゆるクリスタルパワーと永久磁石片による電磁誘導作用とが共同的に働いて、使用者の肌表面にその扁平表面のひとつが接するようにしたので、その方向性が安定し糸・針金を中心にしてみだりに回転することが抑制されるのである。
【特許文献１】特開平１１−７５９１６
【０００４】
しかしながら上記特許文献１記載の発明によれば、四辺形の永久磁石片の横断面の身体への接触性が悪く、さらに永久磁石片の扁平面に着色層を施し、この着色層の色彩を永久磁石片それ自体の色彩と合計で七色となるようにしたため、外観が派手なものとなり万人には敬遠されがちであった。
【考案の開示】
【考案が解決しようとする課題】
【０００５】
本考案は上記の従来例の問題点に鑑みなされたものであり、腕、首、肩等の身体の各部に巻いて安定した使用状態で磁力による治療効果を発揮して、あらゆる人々が半永久的に使用できる健康マグネットユニットを提供することを目的とする。
【課題を解決するための手段】
【０００６】
本考案の要旨とするところは、磁性体を複数連結し、この磁性体の両端部に接続金具を設けてなり、この接続金具を互いに連結することによってリング状にして身体のつぼあるいは患部の表面に取り付ける健康マグネットユニットである。
また、上記のように構成した健康マグネットユニットを複数連結することによって、身体のあらゆる箇所に取り付け可能とし、かつ必要に応じてそれぞれの健康マグネットユニットを交換可能とした連結健康マグネットユニットである。
【考案の効果】
【０００７】
本考案は、複数の磁性体をリング状に構成し、これを単体であるいは複数連結して身体のつぼあるいは患部にあてて使用するため、腕、首、肩などの身体の湾曲した部分のように磁性体を固定することが困難な部位の身体のあらゆる箇所に効果的に取り付けることができる。
さらに必要に応じてそれぞれの健康マグネットユニットを交換可能できるため、半永久的に使用できるのである。
【考案を実施するための最良の形態】
【０００８】
本考案の最良の実施形態は、表面を研磨した球形磁石を、磁性体からなる湾曲部材の両側に糸などによって装飾用の天然石を介して複数個連結し、上記球形磁石の両端部には接続磁石を取り付けてなるものである。
【０００９】
第１実施形態は、図１及び図２に示すものであり、 図１は第１実施形態の斜視図、図２は同使用状態の説明図である。
第１実施形態は複数の球形磁石を連結した連鎖型ユニット５０である。図１において、符号５１は表面を研磨した球形磁石であり、この球形磁石５１を中間部材である湾曲部材５２の両側に糸などによって複数個連結する。この湾曲部材５２も磁性体である。そして球形磁石５１の両端部には、接続金具である接続磁石５３を取り付けてなる。また符号５４は装飾用の天然石である。
【００１０】
上記のように構成した本実施形態の連鎖型ユニット５０を使用するときは、図２に示すように手首に巻きつけて取り付ければよい。このとき接続磁石５３，５３の吸着力が強いため、容易かつ確実に取り付けることができる。また連鎖型ユニット５０を２重、３重に巻きつけた場合には、磁力効果が高まるのである。
【００１１】
このように連鎖型ユニット５０は、複数の球形磁石５１と湾曲部材５２によって手首の周囲に常に安定して取り付けることができ、かつ一定の磁力を与えることができるため、つぼや患部への磁力による治療効果が大きい。さらには身体に有害な電磁波を吸収するため、電子機器類を操作する場合には有効である。
本実施形態では、接続金具として磁石を用いたため連鎖型ユニット５０自体の磁力が補助的に強化される効果もある。この接続金具は磁石に限定されず、ネジ形式、留金形式のものでも良い。
【００１２】
第２実施形態は図３及び図４に示すものであり、上記の連鎖型ユニット５０を、接続磁石５３を互いに連結して複数本連結したものである。
図３の使用例では、上記連鎖型ユニット５０を２〜３本連結して首に巻いて使用したものである。
また図４の使用例では、上記連鎖型ユニット５０を右と左の肩に巻いてから、後ろ側で上記連鎖型ユニット５０を紐５９で互いに連結したものである。
【００１３】
このように連鎖型ユニット５０を複数本繋ぎ合わせ、あるいは組み合わせることにより、身体の太さの違う部位及び形状の複雑な部位への装着も可能となる。
さらに連鎖型ユニット５０を必要に応じて何回でも繋ぎ変え、組み合わせを変えることにより、身体の他の部位への使い回しも容易であり、半永久的な使用が可能となる。さらにこれをサポーター等で補助すると外れにくく紛失も防げる等の効果を有する。
また、並列に幾重にも装着することで腰等の体の深部に患部の在る場合、一つで使用するより高い磁気的治療効果が期待できるのである。
【図面の簡単な説明】
【００１４】
【図１】第１実施形態の斜視図
【図２】第１実施形態の使用状態の説明図
【図３】第２実施形態の使用状態の説明図
【図４】第２実施形態の使用状態の説明図
【符号の説明】
【００１５】
５０  連鎖型ユニット（健康マグネットユニット）
５１  球形磁石
５２  湾曲部材
５３  接続磁石
【図１】
0003119800.tif 000003
【図２】
0003119800.tif 000004
【図３】
0003119800.tif 000005
【図４】
0003119800.tif 000006
(57)【要約】      （修正有）【課題】洗濯機置き場で使用される収納家具は防水パン内に設置された洗濯機との間にすき間ができる問題があるため、防水パンをまたいで設置できる構造の収納家具を提供する。【解決手段】防水パンをまたいで設置するため、収納庫側板奥行きより防水パン厚み以上短いアジャスター付きの左右パネルを脚とする収納庫を提供することにより解決する。【選択図】図３
0003119715.tif 000002
【実用新案登録請求の範囲】
【請求項１】
収納家具本体と取り外し可能な下台により構成され、下台は天板と左右のパネルを脚部とする構造であり、脚部左右のパネル後部は収納家具本体奥行きより寸法が短く、アジャスターを備えたことを特徴とする収納家具。
【請求項２】
収納家具本体と取り外し可能な左右のパネルを脚部とする構造であり、脚部の左右のパネル後部は収納家具本体奥行きより寸法が短く、アジャスターを備えたことを特徴とする収納家具。
【考案の詳細な説明】
【技術分野】
【０００１】
本考案は洗濯機置き場の防水パンをまたいで設置できる収納家具に関するものである。        
【背景技術】
【０００２】
従来の洗濯機置き場で使用される収納家具は防水パン内に設置された洗濯機との間にすき間が出来る問題があった。        
【考案の開示】
【考案が解決しようとする課題】
【０００３】
従来の収納家具は図４で示すように洗濯機設置用の防水パン６があるため洗濯機７と収納家具８との間にすき間９ができ、すき間なしに設置したいという要望が達成されていない。
【課題を解決するための手段】
【０００４】
本考案は従来の問題点を解決するための手段として、洗濯機設置用の防水パンをまたいで設置できる構造の脚部を備えた、収納家具を提供するものである。
【考案の効果】
【０００５】
上述のように本考案の図３のごとく防水パン６をまたいで設置できる構造を提供することにより図４の９に見受けられるすき間をなくすことが可能となる。
【考案を実施するための最良の形態】
【０００６】
以下図１〜図５を参照して本考案を実施するための最良の形態を説明する。
【実施例】
【０００７】
以下、添付図面に従って実施例を説明する。図１は収納家具本体と下台天板２と下台左右パネル１１により構成されていることを説明したものである。下台左右パネルの奥行きは収納家具の背面を壁面につけて設置するためには後方が防水パン厚み分以上短いサイズ４が必要で、アジャスター５は防水パンをまたいで設置した場合内部と床の高さの違いを調整し水平を保つため必要とされる。本体１と下台との取り付け孔３はセンター２個に限定するものではない。上台本体１と下台を分割する理由は配送時不安定であり破損する危険性を避けると共に生産効率を上げるためである。
【０００８】
図２は収納家具本体１と下台左右パネル１０によって構成されていることを説明したものである。下台左右パネル１０の奥行きは収納家具の背面を壁面につけて設置するために後方が防水パン厚み分以上短いサイズであり、アジャスター５は防水パンをまたいで設置した場合の内部と床の高さの違いを調整し水平を保つため必要とされる。脚部左右パネルと本体１の取り付け方法は限定するものではない。上台本体１と左右パネル１０を分割する理由は配送時不安定であり破損する危険性を避けると共に生産効率を上げるためである。        
【０００９】
図３は図１および図２の収納家具に脚部を組みつけ防水パン６をまたいで設置し、洗濯機７とのすき間をなくした状態を説明した斜視図である。請求項２の場合下天板２は付属しないため図面には現れない。アジャスター５は説明図のごとく防水パン６と床面との段差を調整するため不可欠のものである。下台左右パネル後方の切り欠き４は収納家具が防水パンをまたいで壁面に設置される場合必要となる。
【００１０】
図４は従来の収納家具の設置状況を説明した正面図である。従来型の収納家具８は防水パン６をまたいで設置することができないため洗濯機７と収納家具の間にすき間９ができ、すき間をなくして設置したいという要望が達成されていなかった。  
【００１１】
図５は防水パン６をまたいで収納家具を設置した状況を判りやすく説明するため洗濯機を除いた詳細説明図であり、下台左右パネル後方切り欠き４の必要性の説明するものである。請求項２の場合下天板２は付属しないため図面には現れない。アジャスター５は説明図のごとく防水パン６と床面との段差を調整するため不可欠のものである。
【図面の簡単な説明】
【００１２】
【図１】請求項１の取り外し可能な下台を脚部とする収納家具斜視図
【図２】請求項２の取り外し可能なパネルを脚部とする収納家具斜視図
【図３】防水パンをまたいで設置した斜視図
【図４】従来型収納家具の設置正面図
【図５】防水パンをまたいで設置した詳細斜視図
【符号の説明】
【００１３】
１  収納家具本体
２  下台天板
３  ジョイント孔
４  後部切り欠き
５  アジャスター
６  防水パン
７  洗濯機
８  一般的な収納家具
９  すき間
１０  収納家具奥行きより短いパネル
１１  下台天板２の奥行きより短いパネル
【図１】
0003119715.tif 000003
【図２】
0003119715.tif 000004
【図３】
0003119715.tif 000005
【図４】
0003119715.tif 000006
【図５】
0003119715.tif 000007
(57)【要約】【課題】  枚葉印刷機や製函機等で給紙装置に設けてあるサッカー装置の吸い蛸が落下するトラブルを防止し印刷効率を向上させた、枚葉シート供給用サッカー装置を提供する。【解決手段】  枚葉印刷機、製函機等の給紙部サッカー装置が、受け用笠１０が付設された吸引軸５と押え用笠１１が付設された吸引ねじ込み軸６および吸い蛸９で構成されており、ねじ込み軸６を吸引軸５にねじ込むことによって、受け用笠１０と押え用笠１１とで吸い蛸９を挟み込むことにより固定し、印刷時に吸い蛸が脱落することを防止したことを特徴とする枚葉シート供給用サッカー装置。【選択図】  図３
0003119776.tif 000002
【実用新案登録請求の範囲】
【請求項１】
枚葉印刷機、製函機等の給紙部サッカー装置が、受け用笠１０が付設された吸引軸５と押え用笠１１が付設された吸引ねじ込み軸６および吸い蛸９で構成されており、ねじ込み軸６を吸引軸５にねじ込むことによって、受け用笠１０と押え用笠１１とで吸い蛸９を挟み込むことにより固定し、印刷時に吸い蛸が脱落することを防止したことを特徴とする枚葉シート供給用サッカー装置。
【考案の詳細な説明】
【技術分野】
【０００１】
本考案は、枚葉印刷機や製函機等において、給紙部に設けられエアの吸引により最上部の枚葉紙を吸着して上方に分離するサッカー装置の改良に関する。
【背景技術】
【０００２】
枚葉印刷機や製函機等のフィーダー部を図１に記す。紙を本機へ供給する給紙装置には、紙積台等に積載された紙４を、上部のものから１枚ずつ吸着して給紙装置後段部のフィーダーテーブル３へ送り込むサッカーと言われる給紙装置が設けられている。この種のサッカー装置は、小形の印刷機に設けられている以外は、一般に第１サッカー１と第２サッカー２とを備えており、上下に運動する第１サッカーで吸引した紙を、水平運動する第２サッカーに吸い変えてフィーダーテーブル３へ搬送されるように構成されている。
【０００３】
現状の用紙を吸引するサッカー装置先端部の構造を図２に記す。サッカー装置先端部は、吸引軸５と、受け用円盤７・係止用鍔８を備えた吸引ねじ込み軸６および弾力性のあるゴム系製等の吸い蛸９とで構成されており、吸い蛸は吸引ねじ込み軸の円盤部と鍔部との間の溝にはめ込む構造となっている。
【０００４】
一方、紙の品種は大別すると、通常に使用されている「紙」と厚い紙である「板紙」に分類され、紙の米坪は概略５０〜１６０ｇ/ｍ2に対して、板紙の米坪は１６０〜６００ｇ/ｍ2の間にあり通常の紙に比較して非常に重いが、印刷機は紙の種類によって給紙部を含め基本構造は殆ど変わらない。
【０００５】
そのため、米坪の比較的軽い一般紙の高速印刷については、坪量の違いによる給紙等のトラブルは殆ど発生しないが、米坪の重い板紙の印刷等を行う際は、サッカーの吸い蛸が吸着した板紙の重量を支えきれず、吸い蛸が吸引軸の溝部から外れ製品に混入し大量の製品の検品が必要となったり、吸い蛸が圧胴とブランケットの間に喰い込み、ブランケットを破損するなど、印刷機の停止に伴う印刷効率の著しい低下を招く要因となっていた。
なお、印刷機等の給紙に関する改良方法については、特許文献１〜５のような特許や実用新案によって種々提案されているが、サッカーの吸い蛸に関する提案は無い。
【特許文献１】登実２５９８６０８
【特許文献２】特許２９３８３４３
【特許文献３】登実２５５３００５
【特許文献４】実開平０５−０５１８３５
【特許文献５】登実２５４７６５２
【考案の開示】
【考案が解決しようとする課題】
【０００６】
本考案はこれらの問題を解決するため、サッカー吸い蛸の脱落を防止し、印刷効率を高めることを目的としている。
【課題を解決するための手段】
【０００７】
本考案は、これらの問題を解決するため、サッカー吸い蛸の着脱方式についてサッカー吸い蛸の嵌め込み方式から、吸い蛸をねじ込みで固定する方式に変更し落下防止を図る。
【０００８】
図３に改良後のサッカー先端部を記す。サッカーは受け用笠１０が付設された吸引軸５と、軸下部に押え用笠１１が付設された吸引ねじ込み軸６、吸い蛸９で構成されており、吸引軸に吸引ねじ込み軸をねじ込むことによって、受け用笠１０と押え用笠１１とで吸い蛸９を挟み込むことにより固定し脱落を防止する。
【考案の効果】
【０００９】
本考案により、印刷時のサッカー吸い蛸の落下防止が可能となり、印刷給紙が安定し損紙の低減、ブランケットの破損防止等が可能となり印刷効率が大幅に向上した。
【考案を実施するための最良の形態】
【００１０】
サッカー先端部の各部寸法(単位：ｍｍ)及び材質例
吸引軸        ：外形×内径×長さ  Φ１１×Φ９×Ｌ４０      材質  鋳物
受け用笠          Φ２２×ｔ３．０          材質  鋳物
吸引ねじ込み軸：外形×長さ        Φ８  ×Ｌ１５            材質  プラスティッ
ク樹脂
押え用鍔          Φ２２×ｔ３．０          材質  プラスティッ
ク樹脂
吸い蛸        ：外形×内径×厚さ  Φ４４×Φ１５×ｔ３．０  材質  ウレタンゴム
【００１１】
従来は、吸い蛸９は吸引ねじ込み軸６に付設されている受け用円盤７と係止用鍔８の間で係止されていただけであるのに対して、本考案では、受け用部材（受け用笠１０）を吸引軸５に付設した所が大きな特徴である。
そして、吸引軸５に付設された受け用笠１０と、吸引軸ねじ込み軸に付設された押え用笠１１とで吸い蛸９を挟み込むことによって、紙の坪量等にかかわらず、吸い蛸の落下防止が可能となった。
【実施例】
【００１２】
白板紙(米坪：２３０〜５５０ｇ/ｍ2、紙サイズ:800×1110ｍｍ)をオフセットＵＶ印刷機の紙積台に積み、第１サッカーで吸引し第２サッカーで搬送フィーダーテーブルへ給紙し、印刷速度8,000〜10,000枚/時で5色印刷を行う。
第１サッカー、第２サッカー共に吸い蛸部分は改良方法で固定されており、連続給紙に際して、従来の機能と変わりなく、また脱落することもなく白板紙の給紙が可能であった。  
【図面の簡単な説明】
【００１３】
【図１】枚葉印刷機等のフィーダー部の側面図
【図２】現状のサッカー先端部の側面図
【図３】改良後のサッカー先端部の側面図
【符号の説明】
【００１４】
１  第１サッカー
２  第２サッカー
３  フィーダーテーブル
４  紙積み
５  吸引軸
６  吸引ねじ込み軸
７  受け用円盤
８  係止用鍔
９  吸い蛸
１０  受け用笠
１１  押え用笠
【図１】
0003119776.tif 000003
【図２】
0003119776.tif 000004
【図３】
0003119776.tif 000005
(57)【要約】【課題】  フィルタフレームを発泡スチロールにより成型されたものを使用することにより、製品の軽量化を図ると共に、焼却が可能であるため、使用済みフィルタ等、フィルタ全体の消却処理において、着火材としての再利用が可能である発泡スチロール製フィルタフレームを提供する。【解決手段】  フィルタフレーム１は、発泡スチロールにより濾材２を接着固定できるよう成型加工して形成する。【選択図】      図１
0003119338.tif 000002
【実用新案登録請求の範囲】
【請求項１】
発砲スチロールにより成型加工されたことを特徴とする発泡スチロール製フィルタフレーム。
【考案の詳細な説明】
【技術分野】
【０００１】
本考案は、製品の軽量化を図ると共に、加工性においても優れ、且つ焼却可能である発泡スチロール製フィルタフレームに関するものである。
【背景技術】
【０００２】
従来、クリーンルーム等に使用されるフィルタ装置におけるフィルタフレームは、金属（ＳＵＳ，ＳＰＣＣ，ＡＬ）や合板が使用されている。また、過去の特許文献を遡及検索しても、下記の特許文献１に示すように、フィルタフレームとして合板が使用されている。
【０００３】
【特許文献１】特公昭６３−５６８０６号公報
【考案の開示】
【考案が解決しようとする課題】
【０００４】
前記従来使用されている金属や合板によるフィルタフレーム、および特許文献１に記載された難燃合板によるフィルタフレームとも、いずれも重量があって、加工が困難で、且つ使用後の処理が困難であるという課題があった。
【０００５】
本考案は、前記課題を解決すべくなされたものであって、フィルタフレームを発泡スチロールにより成型されたものを使用することにより、製品の軽量化を図ると共に、焼却が可能であるため、使用済みフィルタ等、フィルタ全体の消却処理において、着火材としての再利用が可能である発泡スチロール製フィルタフレームを提供することを目的としている。
【課題を解決するための手段】
【０００６】
本考案は、発砲スチロールを成型加工したフィルタフレームを使用することにより、上記課題を解決した。
【考案の効果】
【０００７】
前記効果を有する発泡スチロールを本考案フィルタフレーム１として使用することにより、該フィルタフレーム１の軽量化を図ることができると共に、切断等の加工性、耐カビ性、防水性において優れ、更に有毒ガスを発生することなく焼却が可能であるため、燃料としての利用ができるので、使用済みフィルタの処理時において着火材として再利用が可能で、フィルタ全体を焼却することにより減容化して廃棄処理することが可能である。
【実施例】
【０００８】
本考案の実施例を図面に基づいて詳細に説明する。図１に示すように、本考案フィルタフレーム１は、発泡スチロールにより濾材２を接着固定できるよう成型加工して形成されている。
【０００９】
前記フィルタフレーム１の素材となる発泡スチロールは、好ましくは、積水化成品工業株式会社の製品名「エスレンビーズＦシリーズ自己消火性（ＪＩＳ−Ａ９５１１適合）グレード」を用いて適宜成型加工してフィルタフレーム１を形成する。そして、前記スチロールは、合成樹脂中の塩化ビニル、ポリウレタン、アクリル樹脂等と異なり、人体に有害な成分は全く含まれておらず、焼却しても、シアンガス、ハロゲンガス、亜硫酸ガス等の有害性ガスを放出することなく、更に燃焼時に発生する一酸化炭素量も、木材や紙に比べて少なく、安全性は立証されている。
【００１０】
また、本考案フィルタフレーム１を形成する発泡スチロールは、その性質として軽量で、焼却が可能で、且つ耐カビ性があり、更に防水性に優れ、切断等の加工性において優れているので、本考案フィルタフレーム１は、これら発泡スチロールの利点をそのまま備えている。
【図面の簡単な説明】
【００１１】
【図１】本考案フィルタフレームを備えたフィルタ装置の一部を切欠いて示す断面図である。
【符号の説明】
【００１２】
１  フィルタフレーム
２  濾材
【図１】
0003119338.tif 000003
(57)【要約】【課題】  保温や防寒のために、通常の上穿き用ズボンの下に着用する下穿き用ズボンにおいて、重ね着による、特に股部の圧迫感及びその他の不都合を解消する、下穿き用股割れズボンを提供する。【解決手段】  通常の上穿き用ズボン１の下に着用するために、厚手生地の既製のズボンの前面の腰部止着部４に近接した位置から、股部を経て、後面の腰部止着部４に近接した位置まで、連続した開放部５を設けて構成した、下穿き用股割れズボン３。【選択図】図１
0003119310.tif 000002
【実用新案登録請求の範囲】
【請求項１】
通常の上穿き用ズボン（１）の下に着用するための、厚手生地の下穿き用ズボン（３）であって、当該下穿き用ズボン（３）が、その前面の腰部止着部（４）に近接した位置から、股部を経て、後面の腰部止着部（４）に近接した位置に至るまで、連続した開放部（５）を有することを特徴とする、下穿き用股割れズボン（３）。
【考案の詳細な説明】
【技術分野】
【０００１】  本考案は、保温や防寒のために、通常のズボンの下に着用する、厚手生地のズボンに関するものである。
【背景技術】
【０００２】  より高い保温や防寒効果を得るために、特に高齢者、病人、冷え性の人が、トレーニングパンツなどの既製の厚手ズボンを、通常の上穿き用ズボンの下に着用することがある。しかし、これらの既製のズボンは、元来、上穿き用に作られているものであるため、上穿き用ズボンの下に下着として着用すると、種々の不都合が生じる。即ち、上穿き用ズボンの存在による、全体的な圧迫感やごわごわ感や窮屈感、特に、股部や男性陰部の圧迫感、ボタンやジッパーが付着しているため、排尿時における二重の不自由さ、外観シルエットの不体裁、男性陰部の位置決めの不自由さ、などである。従来、これらの不具合を解決しようとした考案は存在しなかった。
【考案の開示】
【考案が解決しようとする課題】
【０００３】  本願考案は、上記のすべての問題を、極めて簡単で、かつ低コストの方法により、解決しようとするものである。
【課題を解決するための手段】
【０００４】  本願考案は、下穿きとして着用しようとする既製の厚手ズボンを、股部から、腰部止着部（ウエスト部）に近接する位置まで、一直線に連続して裁断して、ズボン前面の腰部止着部に近接する位置から、股部を経て、ズボン後面の腰部止着部に近接する位置に至るまでの、連続した開放部を設け、開放部の辺縁は、適宜、縁縫いを行う。開放部には、ボタンやジッパーなどの閉鎖手段は設けない。
【考案の効果】
【０００５】  本考案の下穿き用股割れズボンは、次のような優れた効果が得られる。
（ア）市販されている、厚手生地のほとんどの下穿き用ズボンから、極めて簡単、かつ安価な工程で製作することができる。
（イ）ズボン前部の腰部止着部（ウエスト部）に近接する位置から、股部を経て、ズボン後面の腰部止着部に近接する位置まで、連続した開放部を設けたため、着用時の圧迫感、特に、男性陰部の圧迫感や窮屈感がない。
（ウ）男性陰部の左右の位置決め容易である。
（エ）上穿き用ズボンとの股部における重なり合いが無くなるので、着用時の圧迫感、窮屈感、不自由感が無くなり、歩行やその他の運動が容易になる。
（オ）ボタンやジッパーなどが存在しないので、男性の排尿時の不便さが無くなる。
（カ）重ね着による外観上の不格好さが軽減され、シルエットが改善される。
（キ）股部が開放されているので、上穿き用ズボンのベルト部の上下を気にすることなく、本考案の下穿き用股割れズボンを腰部に止着することができる。
（ク）股部が開放されているので、股部の発汗の軽減や股ずれの防止に役立つ。
（ケ）両脚は通常は閉じているので、開放部からの空気の出入りによる違和感の心配は少ない。
（コ）陰部の形状の相違による効果を除いては、女性が使用しても同様な効果が得られる。
（サ）陰部、股部、及び臀部が開放されているので、下穿きとしてではなく、介護老人などの保温衣類として使用すれば、用便が容易かつ迅速にできる。
【考案を実施するための最良の形態】
【０００６】  下記実施例において記載したとおりである。
【実施例】
【０００７】  図面を参照しながら説明する。図１、図２、図３には、本考案の構成をより明確にするため、本考案の下穿き用股割れズボン（３）は、開脚状態で示されている。図１は、本考案の全体概念を表す正面図である。通常の上穿き用ズボン（１）の下に、本考案の下穿き用股割れズボン（３）（破線で示す）を着用する。（５）は、開放部である。まず、トレーニングパンツのような既製の、厚手生地ズボンを、図２に示すように、その腰部止着部（４）に隣接する位置から、股部を経て、図３に示すズボン背面の腰部止着部（４）に近接する位置まで裁断し、開放部（５）を形成する。図２及び図３において、開放部（５）は、太い一点鎖線で示した。その際、ボタン、ジッパー、フラップなどの閉鎖手段は取り除く。開放部（５）の辺縁は、適宜、縁縫いを行う。図４は、本考案の下穿き用股割れズボン（３）の左側面図であるが、破線（５）は、ズボン外布の内部の、開放部（５）の輪郭を示す。右側面も、形状は同一である。ズボンの形成上、開放部（５）の下端部の辺縁は、股部の布余りのため、若干曲線となる。本考案の下穿き用股割れズボン（３）を、図１に示すように、上穿き用ズボン（１）の下に着用することにより、前述した諸効果が達成される。既に述べたように、本考案の股割れズボン（３）は、陰部の形状の相違による効果を除いては、女性にも使用することが出来、又、下穿き用としてではなく、単独で使用することも出来る。
【産業上の利用可能性】
【０００８】  実施例においては、本考案の下穿き用股割れズボン（３）を、トレーニングパンツ等の既製の上履き用ズボンから作成することについて述べたが、勿論、新たにデザインして大量生産することも出来る。通常の上穿き用ズボンの股部に開放部（５）を形成するだけであるから、製作は極めて容易でり、又、ボタンやジッパーのような股部閉鎖手段や股部の形成工程は一切必要としないので、製作コストは、通常のズボンよりも低廉となる。
【図面の簡単な説明】
【０００９】
【図１】本考案の全体概念を示す正面図
【００１０】
【図２】本考案の下穿き用股割れズボンの正面図
【００１１】
【図３】本考案の下穿き用股割れズボンの背面図
【００１２】
【図４】本考案の下穿き用股割れズボンの左側面図
【符号の説明】
【００１３】１    上穿き用ズボン
２    上穿き用ズボンの腰部止着部
３    本考案の下穿き用股割れズボン
４    本考案の下穿き用股割れズボンの腰部止着部
５    本考案の下穿き用ズボンの開放部
【図１】
0003119310.tif 000003
【図２】
0003119310.tif 000004
【図３】
0003119310.tif 000005
【図４】
0003119310.tif 000006
(57)【要約】      （修正有）【課題】思い出の写真や記念写真またはイラスト等がプリントされた郵便はがきを窓ガラス、タイル、家具の壁面、冷蔵庫、机上等の平滑面なら貼り剥がしが自由にでき、剥がした後の糊残りがない郵便はがき用紙を提供する。【解決手段】はがき裏面に再粘付可能な特殊樹脂層を要する無地シールにインクジェットプリンター対応合成紙を貼り合わせ、また宛名書き面にも筆記特性，印刷特性を有する用紙を貼り合わせた郵便はがき用紙にする。【選択図】図１
0003119301.tif 000002
【実用新案登録請求の範囲】
【請求項１】
再粘付可能な特殊樹脂層を要する無地シールにインクジェットプリンター対応合成紙を貼り合わせ、貼って剥がせる郵便はがき用紙。
【請求項２】
前記郵便はがき用紙は、裏面にインクジェットプリンターで写真画像がプリントできるとともに、宛名書き面にも筆記特性，印刷特性を有する用紙を貼り合わせた郵便はがき用紙。
【考案の詳細な説明】
【技術分野】
【０００１】本考案は、思い出の写真や記念写真またはイラスト等をプリントされた郵便はがきを窓ガラス、タイル、家具の壁面、冷蔵庫、机上等の平滑面なら貼り剥がしが自由にでき、剥がした後の糊残りがない郵便はがき用紙に関する。
【背景技術】
【０００２】従来の写真画像入り郵便はがきは年賀状等でよく知られているが、最近は家庭用インクジェットプリンターの普及によりパソコンを使いオリジナル年賀状やポストカードが簡単に作れるようになった。特にかわいい子供の写真や思い出の写真等の写真画像入りはがきを送る人は、受け取る人に身近に貼って置いてほしい場合や受け取った人が目に付くところに貼って置きたい場合がよくあり、その場合は粘着テープで止めるか、画鋲で止めか、写真楯に飾るしかないしかない。しかし粘着テープを使えば剥がした際に大切な写真に粘着剤の糊跡を残したり、画鋲を使えば画鋲の跡を残してしまう。
【考案の開示】
【考案が解決しようとする課題】
【０００３】本考案は写真画像入り郵便はがきを、再粘付可能な特殊樹脂層を要する無地シールにインクジェットプリンター対応合成紙を貼り合わせ、貼って剥がせる郵便はがき用紙に使用することにより、はがきを受け取った人が窓ガラス、タイル、家具の壁面、冷蔵庫、机上等の平滑面に貼ることができ剥がした際の糊跡の心配や画鋲の跡の心配をなくし貼り剥がしが自由にできる郵便はがき用紙を提供することにある。
【課題を解決するための手段】
【０００４】本考案は、はがき裏面に再粘付可能な特殊樹脂層を要する無地シールにインクジェットプリンター対応合成紙を貼り合わせ、また宛名書き面にも筆記特性，印刷特性を有する上質紙を貼り合わせた郵便はがき用紙にすることにより課題を解決する。
【考案の効果】
【０００５】本考案の郵便はがき用紙は、受け取った人が身近に貼って置きたい場合に粘着テープや画鋲を用意することなく簡単に貼ることができる。また剥がした際の糊跡の心配や画鋲の跡の心配もない。【０００６】上記により、今まではしまい込まれていた写真画像入り郵便はがきが、簡単に貼れて身近に目にすることができる。
【考案を実施するための最良の形態】
【０００７】オリジナル年賀状やオリジナルポストカードとして、かわいい子供の写真や思い出の写真等を貼っておける写真便りとして活用できる。【０００８】企業の製品や商品案内また販売促進などに、展示会やイベント等にご来場のお客様向けのサービスに、写真画像入りダイレクトメールとしても活用できる。
【図面の簡単な説明】
【０００９】
【図１】本考案の郵便はがき用紙の断面図である。
【図２】本考案の郵便はがき用紙の表面である。
【図３】本考案の郵便はがき用紙の裏面である。
【符号の説明】
【００１０】  ▲１▼  インクジェット対応合成紙
▲２▼  特殊樹脂層
▲３▼  剥離紙
▲４▼  上質紙
【図１】
0003119301.tif 000003
【図２】
0003119301.tif 000004
【図３】
0003119301.tif 000005
(57)【要約】      （修正有）【課題】食品等の缶詰の中身を、安全に出しやすくし、無駄をなくする。【解決手段】食品やドッグフード等の缶詰のワンタッチタグを、缶の上面部だけでなく底の面にも設置することによって、便利に簡単に安全に中身を取り出しやすくし、無駄をなくすることができる。さらに、空き缶のリサイクル課程においても、洗浄や乾燥  缶を潰すのに役立つ。【選択図】図１
0003119302.tif 000002
【実用新案登録請求の範囲】
【請求項１】
上面部（４）と底面部（５）と側面部（３）とからなる柱状ないし筒状の缶詰容器であって、前記上面部（４）及び前記底面部（５）のそれぞれに、ワンタッチタグ（１．２）を備えたワンタッチタグダブル式缶詰容器。
【考案の詳細な説明】
【技術分野】
【０００１】  本考案は、食品等の缶詰のワンタッチタグに関するものである。
【背景技術】
【０００２】  食品等の缶詰を開ける場合、上面部のワンタッチのプルタグを引き上げて缶の上面部を開け、中身を取り出す。缶の底に残る中身をスプーンやヘラを使ってかき出していた。その際缶の端で手を傷つけることもあり、空き缶リサイクルもやりづらい。
【考案の開示】
【考案が解決しようとする課題】
【０００３】  缶の底に残った中身の無駄をなくし、スプーンやヘラを使った際、手を傷つけることを解決する。空き缶リサイクルの面でも、缶の洗浄、乾燥潰すが容易である。
【課題を解決するための手段】
【０００４】  本考案は、食品等の缶詰の底面部にもワンタッチタグを設け、中身が無駄なく、安全に便利に使用でき、問題点を解決している。
【考案の効果】
【０００５】  上述の様に、ワンタッチタグを底面部にもつけることによって、中身の無駄を解決することは勿論、さらに安全に便利に使用でき、空き缶リサイクルにも、手順が容易になり役立つ。
【考案を実施するための最良の形態】
【０００６】  缶詰本体の上面部のワンタッチのプルタグで、上面部が一面すっぽりと開く。次に缶詰本体の底面部のワンタッチのプルタグで底面部一面をすっぽりと開ける。中身が取り出しやすいことは勿論、スプーンやヘラを使用する必要がないので、手を傷つけることもない。使用後、空き缶リサイクルに出す際にも、缶を洗う乾燥させる缶を潰すが便利に安全に実践できる。
【実施例】
【０００７】以下、添付図面に従って一実施例を説明する。図１で示したように缶詰本体に上面部底面部ともにワンタッチのプルタグが設置されている。さて、これを使用する時には、缶１についているワンタッチのプルタグを引き上げて、上面部をすっぽりと開ける。続いて缶本体を上下逆さにして、底面部のワンタッチのプルタグを引き上げる。底面部が一面すっぽりと開き、缶の状態は、図３の示す通りである。上面部、底面部  本体は、それぞれ分散することもできる。
【図面の簡単な説明】
【０００８】
【図１】缶詰本体の上面部、底面部共にプルタグを設置した状態である。
【図２】缶詰の上面部のプルタグを開け、上面部がすっぽりと開いた状態である。
【図３】缶詰本体を、上下逆さにして底面部のプルタグを開け、底面部もすっぽりと開いた状態である。
【図４】図３の状態で本考案の課題は解決しているが、上面部、底面部本体部分はそれぞれ分散することができ、分散した状態である。
【符号の説明】
【０００９】１．上面部のワンタッチタグ
２．底面部のワンタッチタグ
３．缶詰本体
４．上面部
５．底面部
【図１】
0003119302.tif 000003
【図２】
0003119302.tif 000004
【図３】
0003119302.tif 000005
【図４】
0003119302.tif 000006
(57)【要約】【課題】本考案はネクタイ類本体１本を、２，３，４色柄等複数色柄にて縫製し、１本を複数本として利用できる複数面使用可能ネクタイ類を提供する。【解決手段】本考案はアスコットタイ、マフラー形状ネクタイ、通常型ネクタイ等の１ネクタイ類を表裏又は長さ方向それぞれ違う色柄素材を使用し２色柄ネクタイ類に、表裏１方の側を２色柄、残りの片方を１色柄にした３色柄ネクタイ類に、表裏共に２色柄にした４色柄ネクタイ類等、１本複数色柄ネクタイ類に縫製することにより、１本を複数本として利用できる複数面使用可能ネクタイ類となる。【選択図】図１
0003119306.tif 000002
【実用新案登録請求の範囲】
【請求項１】
アスコットタイ、マフラー形状ネクタイ等の１ネクタイ類を表裏両方の側を別々の色柄素材を長さ方向ほぼ中間部分で継目縫合した２色柄素材を使用し縫製した１ネクタイ４色柄複数面使用可能ネクタイ類。
【請求項２】
アスコットタイ、マフラー形状ネクタイ等の１ネクタイ類を表裏一方の側を別々の色柄素材を長さ方向ほぼ中間部分で継目縫合した２色柄素材、他方の側を一色柄素材を使用し縫製した１ネクタイ３色柄複数面使用可能ネクタイ類。
【請求項３】
アスコットタイ、マフラー形状ネクタイ等の１ネクタイ類を表裏両方の側を別々の色柄素材、又は、別々の色柄素材を長さ方向ほぼ中間部分で継目縫合した２色柄素材、同２色柄素材２枚を使用し縫製した１ネクタイ２色柄複数面使用可能ネクタイ類。
【請求項４】
通常型ネクタイを、大剣側、小剣側共に、大剣側と同サイズに裁断、別々の色柄を長さ方向ほぼ中間部分で継目縫合の上縫製した１ネクタイ２色柄複数面使用可能ネクタイ類。
【考案の詳細な説明】
【技術分野】
【０００１】
本考案は、１本のネクタイ類を複数色柄に縫製した、ネクタイ類に関するものである。
【背景技術】
【０００２】
１本のネクタイ類は殆んど１色柄で縫製されており、１本１通りの色柄使用のネクタイとして縫製されている。
【考案の開示】
【考案が解決しようとする課題】
【０００３】
アスコットタイ、マフラー形状ネクタイ、通常型ネクタイ等の１ネクタイ類１色柄縫製は、購入者の経済的負担も大きく、広い収納スペースも必要になる。また、ＴＰＯに応じた色柄を使用したい場合、複数本のネクタイ類を用意する必要があり、非常に面倒になる。尚、複数通りに使用できないネクタイ類ではファッションとしても楽しみが少ないものである。従って、１本のネクタイ類を複数色柄にて縫製することにより何時でも何処でも簡単に取り替えることが可能になり前述の欠点を解決しょうとするものである。
【課題を解決するための手段】
【０００４】
アスコットタイ、マフラー形状ネクタイ、通常型ネクタイ等のネクタイ類を、１本を複数色柄、複数面使用可能にする為、複数の色柄数にて縫製する。アスコットタイ、マフラー形状ネクタイにおいては、表裏両方とも２種類の色柄素材を継ぎ合わせた２色柄素材を使用して縫合し４色柄ネクタイを縫製する。表裏片側１方を別々の２種類の色柄素材を継ぎ合わせ２色柄素材とし、もう１方を継ぎ目無し或いは同色柄素材を継ぎ合わせた１色柄素材を縫合して３色柄ネクタイを縫製する。継ぎ目無し或いは同色柄素材を継ぎ合わせた１色柄素材を表裏それぞれ別色柄の素材を縫合し２色柄ネクタイを縫製する。通常型ネクタイでは、小剣を大剣と全く同じ大きさで別色柄素材を使用し、大剣と小剣の大きさの区別をなくして２色柄ネクタイを縫製する。
【考案の効果】
【０００５】
上述のように、本考案の複数色柄ネクタイ類は１本１色柄ネクタイ類と同様の機能は勿論、複数柄にて縫製することにより１本のネクタイ類を複数通りに使用することができ、常に複数本のネクタイ類を用意しているのと同様の効果があり、経済的にも大きく貢献し、収納スペースも余り取らない上に、ファッション的にも多いに楽しむことができる。
【考案を実施するための最良の形態】
【０００６】
通常型の２色柄ネクタイでは、大剣小剣全く同型であるので、通常の大剣側を前面にして使用する方法と、小剣側を前面にして使用する方法との２通りの方法で使用する。２、３、４色柄アスコットタイ及び２、３、４色柄マフラー形状ネクタイにおいては、それぞれの色柄が前面及び外側にあるように結び目を調整し、使用者の好みの色柄を楽しめば良い。
【実施例】
【０００７】
以下、添付図面に従って一実施例を説明する。１ａ及び１ｂはアスコットタイ１色柄素材本体、２ａ及び２ｂはマフラー形状ネクタイの１色柄素材本体、３ａ及び３ｂは通常型ネクタイの１色柄素材本体、４はａ部分とｂ部分との継ぎ目である。
【０００８】
アスコットタイ、マフラー形状ネクタイの４色柄ネクタイを縫製するには、１ａ、１ｂ及び２ａ、２ｂ別々の色柄素材を４で継ぎ合わせた２色柄素材２枚を、表側と裏側に使用し縫合すれば４色柄ネクタイが完成する。
【０００９】
アスコットタイ、マフラー形状ネクタイの３色柄ネクタイを縫製するには、４の存在が無い或いは１ａ、１ｂ及び２ａ、２ｂ同色柄素材を４で継ぎ合わせた１色柄素材と、１ａ、１ｂ及び２ａ、２ｂ別々の色柄を４で縫合した２色柄素材をそれぞれ表側と裏側に使用し縫合すれば３色柄ネクタイが完成する。
【００１０】
アスコットタイ、マフラー形状ネクタイの２色柄ネクタイを縫製するには、４の存在が無い、或いは１ａ、１ｂ及び２ａ、２ｂ同色柄素材を４で継ぎ合わせた１色柄素材２枚、別々の色柄を表側と裏側に使用し縫合すれば２色柄ネクタイが完成する。又は、１ａ、１ｂ及び２ａ、２ｂ別々の色柄を４で縫合した２色柄素材、表裏全く同色柄の２色柄素材を使用し縫製しても２色柄ネクタイが完成する。
【００１１】
通常型ネクタイの２色柄ネクタイを縫製するには、３ａと３ｂ双方とも大剣と全く同じサイズとし４で縫合し縫製すれば２色柄ネクタイが完成する。
【図面の簡単な説明】
【００１２】
【図１】本考案の複数色柄ネクタイ、アスコットタイの場合の実施例を示す正面図である。
【図２】本考案の複数色柄ネクタイ、マフラー形状ネクタイの場合の実施例を示す正面図である。
【図３】本考案の複数色柄ネクタイ、通常型ネクタイの場合の実施例を示す正面図である。
【符号の説明】
【００１３】
１ａ  アスコットタイ１色柄素材本体
１ｂ  アスコットタイ１色柄素材本体
２ａ  マフラー形状ネクタイ１色柄素材本体
２ｂ  マフラー形状ネクタイ１色柄素材本体
３ａ  通常型ネクタイ１色柄素材本体
３ｂ  通常型ネクタイ１色柄素材本体
４    ａとｂとの継ぎ目縫合部分
【図１】
0003119306.tif 000003
【図２】
0003119306.tif 000004
【図３】
0003119306.tif 000005